(57)【要約】【課題】異なるシーンのカラー映像に対応してより適切なコントラスト制御を可能とするコントラスト制御装置を提供する。【解決手段】入力されるＲ，Ｇ，Ｂ信号は夫々Ｒ用閾値Ｖ＿Ｒ，Ｖ＿Ｇ，Ｖ＿Ｂと差動型アンプを構成する対のトランジスタＱ１、Ｑ２；Ｑ４，Ｑ５；Ｑ７，Ｑ８により比較され、比較により対応する閾値を超える場合の信号は、カレントミラー回路を構成するトランジスタＱ１０等を介して比較回路３１の第１の入力端のレベルを下げ、基準電圧３２との差信号に基づいて、比較回路３１が出力するコントラスト制御信号により、Ｙ信号のコントラスト制御を行うコントラスト回路１１とＲ，Ｇ，Ｂ色差信号のコントラスト制御を行うカラーコントラスト回路１３ａ、１３ｂ、１３ｃの入出力特性を制御する。【選択図】図３
2007336016.tif 000002
【特許請求の範囲】
【請求項１】
カラー表示に用いられる３つの色信号に対応して、それぞれ独立して設定される３つの閾値設定手段と、
前記３つの色信号と前記３つの閾値とを比較した差信号に基づいてコントラスト制御を行うコントラスト制御信号を生成するコントラスト制御信号生成手段と、
前記コントラスト制御信号により、前記３つの色信号の入出力特性を可変制御して出力することにより、前記３つの色信号のレベルのコントラスト制御を行うコントラスト制御手段と、
を具備したことを特徴とするコントラスト制御装置。
【請求項２】
さらに前記コントラスト制御手段は、輝度信号に対するコントラスト制御を行う輝度コントラスト制御手段を有することを特徴とする請求項１に記載のコントラスト制御装置。  
【請求項３】
前記３つの閾値は、前記３つの色信号としてのＲＧＢ信号に対して設定されるＲ信号用閾値Ｖ＿Ｒ、Ｇ信号用閾値Ｖ＿Ｇ、Ｂ信号用閾値Ｖ＿Ｂであることを特徴とする請求項１に記載のコントラスト制御装置。
【請求項４】
さらに前記３つの色信号と前記３つの閾値とを比較した差信号に基づいて前記３つの色信号の輝度範囲を制御するブライト制御手段を有することを特徴とする請求項１に記載のコントラスト制御装置。
【請求項５】
前記閾値設定手段は、前記３つの閾値が、Ｖ＿Ｒ＜Ｖ＿Ｇ＜Ｖ＿Ｂの関係を満たすように連動して可変設定することを特徴とする請求項３に記載のコントラスト制御装置。
【請求項６】
前記閾値設定手段は、前記３つの閾値の大きさの関係も設定することを特徴とする請求項３に記載のコントラスト制御装置。
【発明の詳細な説明】
【技術分野】
【０００１】
本発明は、液晶表示パネル等によりカラー映像を表示させる場合のコントラスト制御を行うコントラスト制御装置に関する。
【背景技術】
【０００２】
近年、液晶表示素子若しくは液晶表示パネルは、テレビジュン受像機やパーソナルコンピュータ等の映像信号をカラー表示するディスプレイとして広く用いられるようになった。液晶表示素子は、ブラウン管に比べて、薄型化、軽量化及び省電力化できる等の大きな利点を有する。
【０００３】
特許文献１は、液晶表示素子を用いた表示装置において、表示画面の輝度を調整して表示する輝度検知ＡＣＬ（Automatic Contrast Limiter）回路を開示している。
【０００４】
液晶表示素子等をディスプレイに用いた従来の表示装置においては、表示されるカラー映像の絵柄など、シーンが異なった場合に、カラー映像のコントラスト制御が十分に対応していない。このため、異なるシーンに対して、より適切にコントラスト制御ができることが望まれる。
【特許文献１】特開２００４−７１７５号公報
【発明の開示】
【発明が解決しようとする課題】
【０００５】
本発明は、上述した点に鑑みてなされたもので、異なるシーンのカラー映像に対応してより適切なコントラスト制御を可能とするコントラスト制御装置を提供することを目的とする。
【課題を解決するための手段】
【０００６】
本発明の一実施形態に係るコントラスト制御装置は、カラー表示に用いられる３つの色信号に対して、それぞれ独立して設定される３つの閾値設定手段と、
前記３つの色信号と前記３つの閾値とを比較した差信号に基づいてコントラスト制御を行うコントラスト制御信号を生成するコントラスト制御信号生成手段と、
前記コントラスト制御信号により、前記３つの色信号の入出力特性を可変制御して出力することにより、前記３つの色信号のレベルのコントラスト制御を行うコントラスト制御手段と、
を具備したことを特徴とする。
【発明の効果】
【０００７】
本発明によれば、異なるシーンのカラー映像に対応してより適切なコントラスト制御を行うことが可能となる。
【発明を実施するための最良の形態】
【０００８】
以下、図面を参照して本発明の実施例を説明する。  
（第１の実施の形態）
図１は本発明の第１の実施の形態に係る映像表示装置１を示す。テレビジョン受像機用チューナ、テレビカメラ等から、例えば輝度信号Ｙ，搬送色信号Ｃを受信した映像信号復調部２は、カラー画像（カラー映像）に対応する映像信号を生成する。  
この映像信号復調部２により生成された輝度信号Ｙ、色差信号Ｒ−Ｙ，Ｇ−Ｙ，Ｂ−Ｙは、ＲＧＢ回路部３に入力される。このＲＧＢ回路部３は、入力された輝度信号Ｙと色差信号で合成された原色ＲＧＢ信号として信号処理を行う。  
また、このＲＧＢ回路部３は、カラー表示する場合の輝度信号Ｙと色信号ＲＧＢに対するコントラスト制御を行う一実施の形態に係るコントラスト制御部４を内蔵する。  
このコントラスト制御部４は、画像表示を行う液晶表示パネル（液晶表示素子）６に表示されるカラー画像（カラー映像）が、実際のカラー画像により近い状態となるように液晶表示パネルのＲ，Ｇ，Ｂ駆動範囲内に保ちつつ、Ｒ，Ｇ，Ｂ信号に対する入出力特性を可変制御することにより、Ｒ，Ｇ，Ｂ信号の輝度レベルのコントラスト制御を行うする。
【０００９】
ＲＧＢ回路部３から出力されるコントラスト制御されたＲ，Ｇ，Ｂ信号は、液晶駆動部５を介して液晶表示パネル６に入力され、液晶表示パネル６の表示面にはＲＧＢ信号に対応するカラー映像（画像）が表示される。  
液晶表示パネル６を駆動する液晶駆動部５には、映像信号復調部２からタイミング信号、（図１中においてタイミング信号としての水平同期信号をＨ，垂直同期信号をＶとして示す）が入力され、この液晶駆動部５は、タイミング信号に同期した駆動信号で液晶表示パネル６を駆動する。  
図２は、コントラスト制御部４を備えたＲＧＢ回路部３の構成を示す。  
映像信号復調部２から出力される輝度信号（Ｙ信号）はコントラスト回路１１に、３つの色差信号としてのＲ−Ｙ，Ｇ−Ｙ，Ｂ−Ｙ信号はＲ，Ｇ，Ｂ色差用カラー回路１２ａ、１２ｂ、１２ｃに夫々入力される。
【００１０】
コントラスト回路１１は、Ｙ信号に対するコントラスト制御を行う輝度コントラスト制御手段を構成する回路であり、可変アンプ等で構成される。このコントラスト回路１１は、図示しない設定部からのコントラスト値により、コントラスト制御を行う動作条件の設定、調整がされる。なお、図２における太い矢印で示すものは、Ｂｕｓによるコントラスト等の設定値若しくは制御値を示す。  
また、Ｒ，Ｇ，Ｂ色差用カラー回路１２ａ、１２ｂ、１２ｃは、可変アンプであり、カラー値により各アンプの特性が調整可能である。  
Ｒ，Ｇ，Ｂ色差用カラー回路１２ａ、１２ｂ、１２ｃの出力信号は、Ｒ，Ｇ，Ｂ色差用カラーコントラスト回路１３ａ、１３ｂ、１３ｃに入力される。
【００１１】
Ｒ，Ｇ，Ｂ色差用カラーコントラスト回路１３ａ、１３ｂ、１３ｃは、Ｒ，Ｇ，Ｂ色差信号に対するコントラスト制御を行う回路であり、可変アンプ等で構成される。Ｒ，Ｇ，Ｂ色差用カラーコントラスト回路１３ａ、１３ｂ、１３ｃは、夫々カラーコントラスト値によりそのカラーコントラスト制御を行う動作条件の設定、調整がされる。  
コントラスト回路１１及びＲ，Ｇ，Ｂ色差用カラーコントラスト回路１３ａ、１３ｂ、１３ｃには、ＡＣＬ（Automatic Contrast Limiter）回路１４から出力されるコントラスト制御信号により、それぞれの入出力特性を可変制御して出力することにより、Ｙ信号、Ｒ，Ｇ，Ｂ色差信号のコントラスト制御を行う事で等価的にＲＧＢ原色信号を制御する。このＡＣＬ回路１４は、コントラスト制御信号を生成するコントラスト制御信号生成手段を形成する。
【００１２】
そして、このＡＣＬ回路１４は、後述するようにブランキング／ブラックリミッタ回路２１ａ、２１ｂ、２１ｃから出力されるＲ，Ｇ，Ｂ信号に対応して、ＡＣＬ閾値設定回路１５により設定される３つの基準の閾値（具体的にはＲ用閾値Ｖ＿Ｒ、Ｇ用閾値Ｖ＿Ｇ，Ｂ用閾値Ｖ＿Ｂ）と比較して、その差の信号に対応したコントラスト制御信号を生成する。  そして、このコントラスト制御信号により、コントラスト回路１１及びＲ，Ｇ，Ｂ色差用カラーコントラスト回路１３ａ、１３ｂ、１３ｃを構成する可変アンプのゲイン制御を行い、Ｙ信号と、Ｒ，Ｇ，Ｂ色差信号のレベルのコントラスト制御をする事でＲＧＢ信号をコントラスト制御する。  
また、このＡＣＬ回路１４には、適宜の期間での平均の電位（電圧）を生成する平滑化のための容量Ｃ１が接続されている。  
また、コントラスト回路１１の出力信号は、Ｒ，Ｇ，Ｂ色差用カラーコントラスト回路１３ａ、１３ｂ、１３ｃの出力端に夫々接続して合成され、Ｒ，Ｇ，Ｂ原色信号となり、レベルを制御する。
【００１３】
このように、コントラスト回路１１及びＲ，Ｇ，Ｂ色差用カラーコントラスト回路１３ａ、１３ｂ、１３ｃは、コントラスト制御を行う際、動作が連動する。  
上記ＡＣＬ回路１４は、コントラスト回路１１等のコントラスト制御の他に、ブライト（輝度）範囲を制御（決定）するブライト回路１７の制御動作も行う。このブライト回路１７は、ブライト値により、ブライト範囲の設定、調整ができる。  
図１のコントラスト制御部４は、図２においてはコントラスト回路１１，ＲＧＢ色差用カラーコントラスト回路１３ａ、１３ｂ、１３ｃ、ＡＣＬ回路１４、ＡＣＬ閾値設定回路１５及びブライト回路１７等により構成される。  
上記Ｒ，Ｇ，Ｂ色差用カラーコントラスト回路１３ａ、１３ｂ、１３ｃを経て出力されるＲ，Ｇ，Ｂ信号は、夫々ガンマ補正を行うガンマ回路１８ａ、１８ｂ、１８ｃを経てドライブ回路１９ａ、１９ｂ、１９ｃに入力される。
【００１４】
ドライブ回路１９ａ、１９ｂ、１９ｃを経て出力されるＲ，Ｇ，Ｂ信号は、夫々クランプ回路２０ａ、２０ｂ、２０ｃに入力される。  
クランプ回路２０ａ、２０ｂ、２０ｃは、ブライト回路１７から出力されるブライト制御信号でＲＧＢ信号をクランプし、液晶表示パネル６を駆動する際の輝度範囲を制限する。  
このクランプ回路２０ａ、２０ｂ、２０ｃから出力されるＲ，Ｇ，Ｂ信号は、夫々ブランキング／ブラックリミッタ回路２１ａ、２１ｂ、２１ｃに入力される。ブランキング／ブラックリミッタ回路２１ａ、２１ｂ、２１ｃは、ブランキングと黒（ブラック）レベルの下限を設定するもので、ブラックバイアス値（図２ではＢバイアスと略記）によりブラックレベルの下限値の設定及び調整がされる。
【００１５】
ブランキング／ブラックリミッタ回路２１ａ、２１ｂ、２１ｃから出力されるＲ，Ｇ，Ｂ信号は、夫々ホワイトリミッタ回路２２ａ、２２ｂ、２２ｃに入力されると共に、ＡＣＬ回路１４にも入力される。  
ホワイトリミッタ回路２２ａ、２２ｂ、２２ｃは、白（ホワイト）レベルの上限を設定するもので、ホワイトバイアス値（図２ではＷバイアスと略記）によりホワイトレベルの上限値の設定及び調整がされる。  
また、ホワイトリミッタ回路２２ａ、２２ｂ、２２ｃから出力されるＲ，Ｇ，Ｂ信号は、液晶表示パネル６を駆動するため、ノーマルアンプ／反転アンプ２３ａ、２３ｂ、２３ｃに夫々入力される。ノーマルアンプ／反転アンプ２３ａ、２３ｂ、２３ｃは、夫々ライン／インバータ２４ａ、２４ｂ、２４ｃに接続され、１ライン（１水平期間）毎に反転したＲ、Ｇ、Ｂ信号を出力する。
【００１６】
また、ノーマルアンプ／反転アンプ２３ａ、２３ｂ、２３ｃは、センター電圧を決めるためのＲＧＢ帰還クランプ容量Ｃ２、Ｃ３、Ｃ４がクランプ回路２５と接続されている。このクランプ回路２５は、ライン反転したＲＧＢ信号が中心電圧を中心として反転する様、レベル制御を行い液晶表示におけるフリッカを防止する。  
図３は、入力されるＲ，Ｇ，Ｂ信号を閾値と比較してその閾値差に対応したコントラスト制御信号を生成するＡＣＬ回路１４の詳細な回路構成を示す。  
Ｒ、Ｇ、Ｂ信号は、トランジスタＱ１,Ｑ４,Ｑ７のベースに夫々印加され、これらトランジスタＱ１,Ｑ４,Ｑ７と夫々差動型アンプを構成するように設けられたトランジスタＱ２,Ｑ５,Ｑ８のベースに印加される各閾値Ｖ＿Ｒ，Ｖ＿Ｇ，Ｖ＿Ｂと比較される。
【００１７】
対となるトランジスタＱ１、Ｑ２のエミッタは、夫々抵抗Ｒ１，Ｒ２を介して定電流回路を構成するトランジスタＱ３のコレクタに接続され、このトランジスタＱ３のエミッタは抵抗Ｒ３を介してグランド（ＧＮＤ）に接続される。  
対となるトランジスタＱ４、Ｑ５のエミッタは、夫々抵抗Ｒ４，Ｒ５を介してトランジスタＱ６のコレクタに接続され、このトランジスタＱ６のエミッタは抵抗Ｒ６を介してグランド（ＧＮＤ）に接続される。  
対となるトランジスタＱ７、Ｑ８のエミッタは、夫々抵抗Ｒ７，Ｒ８を介してトランジスタＱ９のコレクタに接続され、このトランジスタＱ９のエミッタは抵抗Ｒ９を介してグランド（ＧＮＤ）に接続される。  
また、トランジスタＱ１、Ｑ４、Ｑ７のコレクタは、互いに接続されて共通化されてトランジスタＱ１０のエミッタに接続される。
【００１８】
一方、トランジスタＱ２、Ｑ５、Ｑ８のコレクタは、互いに接続されて共通化されて電源端Ｖｃｃに接続される。  
また、定電流回路を構成するトランジスタＱ３、Ｑ６、Ｑ９のベースは、互いに接続されて共通化され、バイアス電圧Ｖｂ１が印加される。  
上記トランジスタＱ１０は、トランジスタＱ１１とカレントミラー回路を構成しており、各トランジスタＱ１０及びＱ１１のエミッタは夫々抵抗Ｒ１０，Ｒ１１を介して電源端Ｖｃｃに接続され、両トランジスタＱ１０及びＱ１１のベースは、互いに接続されて共通化されると共に、トランジスタＱ１０のコレクタにも接続されている。  
トランジスタＱ１１のコレクタは、トランジスタＱ１２のコレクタに接続され、このトランジスタＱ１２はトランジスタＱ１３とによりカレントミラー回路を構成する。各トランジスタＱ１２、Ｑ１３のエミッタは夫々抵抗Ｒ１２，Ｒ１３を介してグランドに接続され、両トランジスタＱ１２、Ｑ１３のベースは互いに共通に接続されると共に、トランジスタＱ１２のコレクタに接続されている。
【００１９】
また、トランジスタＱ１３のコレクタは、ＡＣＬ非動作時の待機用微小電流を流すトランジスタＱ１４のコレクタに接続され、このトランジスタＱ１４は、そのエミッタが抵抗Ｒ１４を介して電源端Ｖｃｃに接続され、そのベースにはバイアス電圧Ｖｂ２が印加される。  
また、トランジスタＱ１３のコレクタ（つまり、トランジスタＱ１４のコレクタ）は、上述した平滑化の容量Ｃ１に接続されると共に、比較回路３１の第１の入力端に接続される。この比較回路３１は、第１の入力端の電圧を、第２の入力端に印加される基準電圧３２と比較し、その差に対応したコントラスト制御信号をコントラスト回路１１とカラーコントラスト回路１３ａ、１３ｂ、１３ｃに出力制御する。  
また、この比較回路３１は、第１の入力端の電圧と、第２の入力端の基準電圧３２との差に対応したブライト制御信号をも生成し、ブライト回路１７に出力制御する。そして、このブライト制御信号によりブライト回路１７を介してＲ，Ｇ，Ｂ信号のブライト（輝度）範囲をシフトすることによりブライトネスを制御する。
【００２０】
この図３に示すようにＡＣＬ回路１４は、Ｒ，Ｇ，Ｂ信号に対応して、Ｒ用閾値Ｖ＿Ｒ，Ｇ用閾値Ｖ＿Ｇ，Ｂ用閾値Ｖ＿Ｂを夫々独立に設定できるようにしている。そして、夫々差動型アンプを構成する対のトランジスタＱ１，Ｑ２によりＲ信号とＲ用閾値Ｖ＿Ｒの比較を行い、対のトランジスタＱ４，Ｑ５によりＧ信号とＧ用閾値Ｖ＿Ｇの比較を行い、対のトランジスタＱ７，Ｑ８によりＢ信号とＢ用閾値Ｖ＿Ｂの比較を行うようにしている。  
このＡＣＬ回路１４の１つの動作例として、例えばＧ，Ｂ信号は夫々Ｇ用閾値Ｖ＿Ｇ、Ｂ用閾値Ｖ＿Ｂよりも低い場合において、Ｒ信号がＲ用閾値Ｖ＿Ｒを超える場合で説明すると以下のようになる。  
Ｒ信号がＲ用閾値Ｖ＿Ｒを超えると、その差の値に応じてトランジスタＱ１のコレクタに接続されたトランジスタＱ１０のエミッタ・コレクタ間に流れる電流が増大する。
【００２１】
これに伴ってこのトランジスタＱ１０とによりカレントミラー回路を構成するトランジスタＱ１１のエミッタ・コレクタ間に流れる電流が増大する。すると、このトランジスタＱ１１のコレクタ側に設けられたトランジスタＱ１２のコレクタ・エミッタ間に流れる電流が増大する。  
このためこのトランジスタＱ１２とカレントミラー回路を構成するトランジスタＱ１３のコレクタ・エミッタ間に流れる電流が増大し、ＡＣＬ非動作時待機用に微小電流を流してたトランジスタＱ１４の電流より多くなり、そのコレクタの電位、つまり容量Ｃ１で水平期間の程度で平滑化された電位状態の比較回路３１の第１の入力端の電位（電圧）が下がる。  
この第１の入力端の電圧は、この比較回路３１の第２の入力端の基準電圧３２と比較される。その差の値に対応したコントラスト制御信号が、ＡＣＬ回路１４の前段側に設けられたコントラスト回路１１とカラーコントラスト回路１３ａ、１３ｂ、１３ｃとの例えばゲイン制御端子に印加制御される。
【００２２】
このようにＡＣＬ回路１４は、入力されるＲ、Ｇ、Ｂ信号をそれぞれＲ用閾値Ｖ＿Ｒ，Ｇ用閾値Ｖ＿Ｇ，Ｂ用閾値Ｖ＿Ｂと比較する。そして、ＡＣＬ回路１４は、これらの値を超えようとした場合、差信号に基づいて生成されたコントラスト制御信号により、このＡＣＬ回路１４よりも前段側のコントラスト回路１１とカラーコントラスト回路１３ａ、１３ｂ、１３ｃにフィードバックして、上記差信号の値を抑制するようにコントラスト制御する。  
このため、比較回路３１の第１の入力端に接続された容量Ｃ１の平滑化の効率に影響されるが、ＡＣＬ回路１４は、実質的にＲ、Ｇ、Ｂ信号がそれぞれＲ用閾値Ｖ＿Ｒ，Ｇ用閾値Ｖ＿Ｇ，Ｂ用閾値Ｖ＿Ｂを殆ど超えないようにコントラスト制御する。  
そして、そのコントラスト制御信号によりコントラスト回路１１のＹ信号と、カラーコントラスト回路１３ａ、１３ｂ、１３ｃのＲ，Ｇ，Ｂ信号の入出力特性を可変制御してコントラスト制御を行い、輝度つぶれ、色飽和の無い映像を提供する。
【００２３】
この場合、Ｙ信号と、カラーコントラスト回路１３ａ、１３ｂ、１３ｃのＲ，Ｇ，Ｂ信号の入出力特性を連動して制御することにより、不自然な色調のコントラスト制御とならないようにしている。  
コントラスト制御信号は、上記Ｒ信号の信号レベルがＲ用閾値Ｖ＿Ｒを超えようとするその値が大きい程、大きな値のコントラスト制御信号となり、小さい値の場合よりもコントラスト制御を行う機能が大きくなる。このようにして、各Ｒ、Ｇ，Ｂ信号がそれぞれの閾値を殆ど超えないように平滑制御する。  
なお、例えば上記Ｒ信号の信号レベルがＲ用閾値Ｖ＿Ｒ未満の場合には、比較回路３１の第１の入力端の電圧は、ＡＣＬ非動作時の待機トランジスタＱ１４に流れる微小電流により基準電圧３２以上となり、この場合にはコントラスト回路１１等に対して、コントラスト制御（コントラスト制限）を行わない。
【００２４】
また、この比較回路３１は、例えばＲ用閾値Ｖ＿Ｒを超えようとするその値に応じたブライト制御信号を出力し、このブライト制御信号によりブライト回路１７のブライト範囲を制限する。  
図４は、ブライト制御した場合の１水平期間（図４では１Ｈと略記）の出力波形で示す。ブライト制御信号は、例えば点線で示す制御前のＲ信号全体を実線で示すように黒レベル側にシフトして、そのブライトネスを下げる。なお、図４において、横軸は時間、縦軸は信号レベルを示す。  
上記ＡＣＬ回路１４の動作の例として、Ｒ信号の場合で説明したが、Ｇ，Ｂ信号の場合にも類似した動作となるが、１つ、つまり共通の閾値によりコントラスト制御信号を生成する場合とは異なった動作となる。
【００２５】
本実施の形態に係るＡＣＬ回路１４の構成及びその動作をより分かり易くするために、１つの閾値でコントラスト制御信号を生成する参考例としてのＡＣＬ回路１４′の構成を図５に示す。  
図５に示すＡＣＬ回路１４′は、図３に示すＡＣＬ回路１４において、差動型アンプを構成していた３対のトランジスタＱ１，Ｑ２と、Ｑ４，Ｑ５と、Ｑ７、Ｑ８における例えばトランジスタＱ４、Ｑ８をエミッタ側の抵抗Ｒ４、Ｒ８と共に削除している。  
また、図３のＡＣＬ回路１４において、３個の定電流回路を構成するトランジスタＱ３，Ｑ６，Ｑ９における２つ、例えばトランジスタＱ３，Ｑ６をそのエミッタ側の抵抗Ｒ３，Ｒ６と共に削除した構成になっている。また、トランジスタＱ１，Ｑ２，Ｑ４，Ｑ７のエミッタはそれぞれ抵抗Ｒ１，Ｒ２，Ｒ４，Ｒ７を介してトランジスタＱ９のコレクタに接続されている。
【００２６】
そして、トランジスタＱ２のベースには、Ｒ、Ｇ、Ｂ信号で共通となるＲＧＢ用閾値（共通閾値）が印加されるようにしている。その他の構成は図３と同様であるとする。  
また、本実施の形態に係るコントラスト制御部４或いはＲＧＢ回路部３の動作をより分かり易くするため、図５に示したＡＣＬ回路１４′を図２のＡＣＬ回路１４の代わりに採用してＲＧＢ回路部を構成した場合の動作を本実施の形態と比較して説明する。  
図５に示したＡＣＬ回路１４′の場合には、Ｒ、Ｇ、Ｂ信号の１つが共通閾値を超えると、比較回路３１は、コントラスト制御を行うコントラスト制御信号を出力する。  
この場合には、コントラスト制御が、共通閾値を基準にして行われることになるため、図３のＡＣＬ回路１４に比較して、画像のシーンが変化した場合に、閾値が３軸共通の為、各ＲＧＢ信号に対するＡＣＬ動作がｏｒで動作する為、コントラスト制御幅も大きく、ＲＧＢ出力信号の輝度も下がり、メリハリの無い平凡な映像になる。
【００２７】
これに対して、本実施の形態に係るＡＣＬ回路１４は、Ｒ，Ｇ，Ｂ信号夫々に対してＲ用閾値Ｖ＿Ｒ，Ｇ用閾値Ｖ＿Ｇ，Ｂ用閾値Ｖ＿Ｂを独立に設定できるようにしているので、共通閾値の場合に比較して、画像のシーンが変化した場合にも、例えば人は赤い色に対する感度が高いので、人の感度に合わせて電気的にＲＧＢ閾値のレベル設定を変えた方がより自然な映像が得られ、ＲＧＢ出力信号の輝度も下がらず、シーンの色調に応じてより適切にコントラスト制御を行うことを可能にしている。  
そして、本実施の形態においては、ＡＣＬ閾値設定回路１５により、例えばＲ用閾値Ｖ＿Ｒ，Ｇ用閾値Ｖ＿Ｇ，Ｂ用閾値Ｖ＿Ｂを、Ｖ＿Ｒ＜Ｖ＿Ｇ＜Ｖ＿Ｂの関係を保つように設定することができ、この設定例の場合の動作を以下に説明する。  
図６（Ａ）、図６（Ｂ）は、本実施の形態と参考例の閾値比較図で、７５％のカラーバー信号を入力した場合における本実施の形態に係るＡＣＬ回路１４と、図５のＡＣＬ回路１４′によりそれぞれコントラスト制御されて出力されるＲ，Ｇ，Ｂ信号の出力波形を示し、図６（Ａ）は図６（Ｂ）よりＲＧＢ信号は大きい（図中においてＡ＞Ｂである）。
【００２８】
この場合の出力波形は、水平期間毎に反転を行う前の波形、従って、図３におけるカラーコントラスト回路１３ａ、１３ｂ、１３ｃ以降で、ノーマル／反転アンプ２３ａ、２３ｂ、２３ｃより手前の回路からの出力波形を示している。  
また、図７（Ａ）、図７（Ｂ）は、本実施の形態と参考例のパネル前の±ＲＧＢ出力信号の大きさ比較図で、７５％のカラーバー信号を入力した場合における本実施の形態に係るＡＣＬ回路１４と、図５のＡＣＬ回路１４′によりそれぞれコントラスト制御されて液晶表示パネル６に出力される信号の出力波形を示す。  
図７（Ａ）、図７（Ｂ）に示すように、１水平期間毎にＲ、Ｇ．Ｂ信号を反転したーＲ，−Ｇ，−Ｂ信号を生成して液晶表示パネル６に印加する。
【００２９】
この場合、ノーマル及び反転した場合の黒レベルに相当するブランキング信号（図７ではＢＬＫで略記）の振幅は、図７（Ａ）、図７（Ｂ）とも同じ値で示している。なお、図６におけるＢＫはブランキング期間における一方（ノーマル側）のレベルを示している。  図５のＡＣＬ回路１４′は、共通のＲＧＢ用閾値となっているので、この共通のＲＧＢ用閾値に対してＲ，Ｇ，Ｂ信号の任意の１つが超えるか否かによりコントラスト制御を行うようになる。このため、ＡＣＬ回路１４′を用いた場合には、例えば図６（Ｂ）或いは図７（Ｂ）のようにＲＧＢ及び±ＲＧＢ出力信号は絞られた波形となる。
【００３０】
これに対して図３のＡＣＬ回路１４の構成では、３つの閾値を夫々設定しているので、Ｒ信号成分がＲ用閾値Ｖ＿Ｒを超えるか否か、Ｇ信号成分がＧ用閾値Ｖ＿Ｇを超えるか否か、Ｂ信号成分がＢ用閾値Ｖ＿Ｂを超えるか否かによりコントラスト制御を行うようになる。このため、ＡＣＬ回路１４を用いた場合には３軸閾値を変える事でＡＣＬ動作状態もコントラスト制御も弱く働き、参考例の場合（図６（Ｂ）及び図７（Ｂ））に対して、ＲＧＢ及び±ＲＧＢ出力信号は絞られない、図６（Ａ）或いは図７（Ａ）のような波形となる。  
また、図５のＡＣＬ回路１４′の場合には、複数の信号が共通のＲＧＢ用閾値を超えると、コントラスト制御量が増大する。このため、図６（Ｂ）に示すように白（ホワイト）Ｗの振幅が急激に小さくなり易くなる。つまり、Ｒ，Ｇ，Ｂ信号及びＹ信号のダイナミックレンジ（コントラスト範囲）が急激に狭くなり易い。  
これに対して、図３のＡＣＬ回路１４を採用した場合は、複数の信号が、各信号用の閾値を超えると、ＡＣＬ回路１４によるコントラスト制御する。しかし、この図３の場合には、各閾値の値が異なって設定されているため、図５の場合に比較すると、コントラスト制御特性は緩やかになり、ＲＧＢ出力信号も減少しずらく、色調に応じて自由度があり、自然な映像感を提供できる。
【００３１】
このように、図５のＡＣＬ回路１４′を採用した場合には、図６（Ｂ）、図７（Ｂ）に示すようにシーンの色調にあまり関係なく、コントラスト制御を行う動作となり、輝度（白）の振幅が小さくなり、暗くなりがちの画面（表示画像）となる。従って、図５のＡＣＬ回路１４′を採用した場合は、人が感じる感度と関係なく、一律にレベルが制御されるので不自然な映像感となる。  
これに対して本実施の形態に係るＡＣＬ回路１４を採用した場合は、人の感度に合わせて電気的なレベル設定が可能となるので、自然な映像感を実現できる。  
図３のＡＣＬ回路１４は、Ｒ用閾値Ｖ＿Ｒ、Ｇ用閾値Ｖ＿Ｇ、Ｂ用閾値Ｖ＿Ｂのように閾値レベルがＶ＿Ｒ＜Ｖ＿Ｇ＜Ｖ＿Ｂの順で設定した場合、７５％のカラーバー信号を受信した際の閾値レベル比較では始めの閾値レベルはＲ用閾値Ｖ＿Ｒで振幅比較し、Ｒ用閾値Ｖ＿Ｒの閾値レベルと同程度になるとＡＣＬ動作が開始する。
【００３２】
この時、先にＲ用閾値Ｖ＿Ｒ単独でＡＣＬ回路１４の検出動作が行われる為、図５のＡＣＬ回路１４′のように共通の閾値で検出動作が行われる方法と異なり、図６（Ａ）に示すように赤・マゼンタ・黄色の振幅で平均化したＡＣＬ動作となる為、Ｙ信号（白）の振幅も大きく低下する事が無い。  
また、Ｇ用閾値Ｖ＿Ｇの閾値レベル比較でＡＣＬ動作するには、更にＲＧＢ信号のＧ信号のレベルが高いところでＧ用閾値Ｖ＿Ｇと同程度になる所で動作する為、緑・シアン・黄色の振幅で平均化したＡＣＬ動作が行なわれる。  
更に、Ｂ信号はより高いＢ用閾値Ｖ＿Ｂと同程度になるところでＡＣＬ動作が開始する為、青・マゼンタ・シアンの振幅で平均化したＡＣＬ動作を行う。  
これに対して、図５のＡＣＬ回路１４′は、閾値が共通で一つの為、例えば７５％のカラーバー信号を受信した際の閾値レベ'レ比較では、赤・マゼンタ・黄色・緑・シアン・青振幅の論理和でＡＣＬ動作が働く。
【００３３】
この為、図６（Ｂ）に示すように、映像に余り関係なく輝度或いは白が一定で、その輝度の振幅を大きく下げ、画面が暗くなりがちな映像となる。その結果、この図６（Ｂ）のようにＡＣＬ制御が効き過ぎたＹ信号（白）の小さいＲＧＢ出力となり、そのダイナミックレンジが狭くなりがちになる。  
例えば、図５のＡＣＬ回路１４′では、受信した信号の映像内容において、背景が明るく中心に赤いバラを写し出した映像シーンの場合には、赤いバラのディテールは有効に再現できるが、輝度が低く、背景の暗い画面になりやすい。  
また、受信した信号の映像内容において、背景が森・空で手前が芝生の映像シーンの場合には、輝度或いは白成分が少なく、森・芝生も暗く奥行き感がない画面となりがちとなる。
【００３４】
更に、受信した信号の映像内容において、背景が夏の空で海水浴で賑わう浜辺などの映像シーンの場合には輝度或いは白成分が少ない為、寒い青空、重い砂浜のように、夏のイメージを十分に表しにくい映像表現となる。  
これに対して、図３のＡＣＬ回路１４を採用した場合には、次のような画像効果が得られる。  
上述したようにＲ用閾値Ｖ＿Ｒ、Ｇ用閾値Ｖ＿Ｇ、Ｂ用閾値Ｖ＿Ｂの閾値レベルがＶ＿Ｒ＜Ｖ＿Ｇ＜Ｖ＿Ｂの順で設定した場合、例えば受信した信号の映像内容において、背景が明るく中心に赤いバラを写し出した映像シーンの場合には、Ｒ用閾値Ｖ＿Ｒの閾値レへ"ルでＡＣＬ動作が行われる。この場合、ＡＣＬ回路１４は、赤・マゼンク・黄色の振幅で平均化したＡＣＬ動作を開始する為、背景の輝度或いは白成分と赤いバラが飽和しないで、そのディーテルを有効に再現できる。
【００３５】
つまり、図５のＡＣＬ回路１４′の場合に比較して、輝度或いは白の振幅が小さくなりにくい絵感で、メリハリのある映像を再現できる。  
また、受信した信号の映像内容において、背景が森・空で手前が芝生の映像シーンの場合にはＲ用閾値Ｖ＿ＲとＧ用閾値Ｖ＿Ｇの閾値レベルでＡＣＬ動作を開始する。この為、ＡＣＬ回路１４は、最初はＲ用閾値Ｖ＿ＲでのＡＣＬ動作となり、黄・マゼンタ・赤系の振幅で動作(映像シーン内容に赤・マゼンタ色が少ない為)、つまり少ないＡＣＬ制御動作となる。  
次にＧ用閾値Ｖ＿Ｇの閾値レベルでＡＣＬ動作で緑・シアン・黄色系の振幅で動作し、前記Ｒ用閾値Ｖ＿Ｒでの検出した結果と加算され、平均化したＡＣＬ動作を開始する。この場合、ＡＣＬ回路１４は、輝度或いは白成分も先の赤いバラの映像より振幅が大きく出力する為、奥行きのある鮮やかな森・明るい緑の芝生を再現出来るような映像になる。
【００３６】
更に、受信した信号の映像内容において、背景が夏の空で海水浴で賑わう浜辺などの映像シーンの場合には、Ｂ用閾値Ｖ＿Ｂ、Ｇ用閾値Ｖ＿Ｇ、Ｒ用閾値Ｖ＿Ｒの論理和での閾値レベルでＡＣＬ動作となる。  
この為、ＡＣＬ回路１４は、最初はＲ用閾値Ｖ＿ＲでのＡＣＬ動作により浜辺・海水浴の人達などで黄・マゼンタ・赤系の振幅でＡＣＬ動作する。  
次にＧ用閾値Ｖ＿ＧでのでＡＣＬ動作は、海水・陸地の木などで緑・シアン・黄色系の振幅でＡＣＬ動作となる。  
最後にＢ用閾値Ｖ＿ＢでのＡＣＬ動作は、澄み切った青空などで前記Ｒ用閾値Ｖ＿ＲとＧ用閾値Ｖ＿Ｇでの検出した結果と加算され、平均化したＡＣＬ動作を開始する。この為、ＡＣＬ回路１４は、夏の乾いたさわやかな水色の空と透きとおった海・乾いた白い砂浜の映像シーンがより適切に再現出来るようにな映像になる。
【００３７】
また、図８は本実施の形態に係るＡＣＬ回路１４を採用して７５％のカラーバー信号を受信した状態でのＡＣＬ動作状態でのＲＧＢ振幅例で、Ｒ用閾値Ｖ＿Ｒ、Ｇ用閾値Ｖ＿Ｇ、Ｂ用閾値Ｖ＿Ｂの閾値レベルの３軸閾値でＡＣＬ動作したＲＧＢ出力信号を示す。この場合、３軸閾値で動作する為、一番ＲＧＢ出力信号が絞られる。７５％のカラーバー信号で表現すると映像場面によるＲＧＢ出力信号の大きさを説明できないが、映像内容として、赤い色が多く含まれる花などの映像シーンにおいては輝度・色を一番制御する為、花のディーテルが十分良く再現される。
【００３８】
映像内容が、森・芝生などでは、赤い情報が少なくＲ軸閾値で動作しずらくＧ軸の閾値で動作する為、少し輝度・色も先のＲ信号検出の場合と異なり、より明るく少し濃い映像を再現できます。
【００３９】
最後に、夏の海辺の青空などの映像シーンにおいては、赤、緑の情報が少ない為、閾値の低いＲ、Ｇ軸に反応しにくく、Ｂ軸の閾値でＡＣＬ動作する為、輝度・色もそんなに制御しなく、明るく夏の乾いた青空で爽快感を感じさせる映像により、広いダイナミックレンジを感じさせる映像を提供できます。
【００４０】
実際の映像では絵柄内容に応じてＲＧＢ用の３つの閾値Ｖ＿Ｒ，Ｖ＿Ｇ，Ｖ＿Ｂの閾値差レベルによりＲＧＢ出力の振幅が変化し、ダイナミックレンジが広く感じられるような良好なコントラスト制御された色調の映像を提供できる。  
このように本実施の形態に係るコントラスト制御部４を備えたＲＧＢ回路部３によれば、特に液晶表示パネル６等の場合に絵柄、色調等が異なる映像シーンの場合において、各映像シーンの特徴をより適切に反映した画質の良い映像を表示できるようにコントラスト制御ができる。  
図９はＡＣＬ閾値設定回路１５の変形例を示す。図２におけるＡＣＬ閾値設定回路１５は、３つの閾値Ｖ＿Ｒ、Ｖ＿Ｇ、Ｖ＿Ｂの値を夫々独立して可変設定できる（例えば３つの可変抵抗の調整操作）が、図９に示すように所定の関係を保って可変設定できる構成にしても良い。
【００４１】
このＡＣＬ閾値設定回路１５においては、基準電圧４１は抵抗Ｒａを介してバッファアンプ４２ａの入力端に印加され、このバッファアンプ４２ａの出力端はＢ用閾値Ｖ＿Ｂとなる。  
また、バッファアンプ４２ａの入力端は、抵抗Ｒｂを介してバッファアンプ４２ｂの入力端に接続され、このバッファアンプ４２ｂの出力端はＧ用閾値Ｖ＿Ｇとなる。  
また、バッファアンプ４２ｂの入力端は、抵抗Ｒｃを介してバッファアンプ４２ｃの入力端に接続され、このバッファアンプ４２ｃの出力端はＲ用閾値Ｖ＿Ｒとなる。  
また、このバッファアンプ４２ｃの入力端は、可変抵抗Ｒｄを介してグランドに接続され、ユーザはこの可変抵抗Ｒｄの抵抗値を変更することにより、３つの閾値Ｖ＿Ｂ、Ｖ＿Ｇ、Ｖ＿Ｒを連動して変更設定することができる。  
この場合、このＡＣＬ閾値設定回路１５は、ユーザが１つの可変抵抗Ｒｄの抵抗値を変更することにより、３つの閾値Ｖ＿Ｂ、Ｖ＿Ｇ、Ｖ＿Ｒが、Ｖ＿Ｂ＞Ｖ＿Ｇ＞Ｖ＿Ｒの関係を保って連動して変化する。なお、抵抗Ｒａ、Ｒｂ，Ｒｃを調整可能な抵抗としても良い。  
図９のＡＣＬ閾値設定回路１５によれば、３つの閾値Ｖ＿Ｂ、Ｖ＿Ｇ、Ｖ＿Ｒを、Ｖ＿Ｂ＞Ｖ＿Ｇ＞Ｖ＿Ｒの大きさ（大小）の関係を保って連動して調整設定することが簡単にできる。  
従って、絵図作り表現の際にこのような大きさの関係等に設定した場合、閾値の調整を行ってもその大きさの関係等を維持することができ、その調整作業が容易となる。
【図面の簡単な説明】
【００４２】
【図１】本発明の一実施形態を備えた映像表示装置の構成を示すブロック図。
【図２】本発明の一実施形態に係るコントラスト制御部を備えたＲＧＢ回路の構成を示すブロック図。
【図３】本発明の一実施形態に係るコントラスト制御部を形成するＡＣＬ回路の構成を示す回路図。
【図４】ブライト制御の説明図。
【図５】図３のＡＣＬ回路に対応する比較用のＡＣＬ回路の構成を示す回路図。
【図６】７５％のカラーバー信号が入力された場合のＲＧＢ信号出力波形を図３のＡＣＬ回路と図５のＡＣＬ回路の場合とで比較して示す図。
【図７】図６の場合における液晶表示パネル前での信号出力波形を図３のＡＣＬ回路と図５のＡＣＬ回路の場合とで比較して示す図。
【図８】図３のＡＣＬ回路を用いて７５％のカラーバー信号が入力された場合のＲＧＢ信号出力波形を示す図。
【図９】変形例におけるＡＣＬ閾値設定回路の回路図。
【符号の説明】
【００４３】
３…ＲＧＢ回路部
４…コントラスト制御部
６…液晶表示パネル
１１…コントラスト回路
１３ａ、１３ｂ、１３ｃ…カラーコントラスト回路
１４…ＡＣＬ回路
１５…ＡＣＬ閾値設定回路
１７…ブライト回路
３１…比較回路
【図１】
2007336016.tif 000003
【図２】
2007336016.tif 000004
【図３】
2007336016.tif 000005
【図４】
2007336016.tif 000006
【図５】
2007336016.tif 000007
【図６】
2007336016.tif 000008
【図７】
2007336016.tif 000009
【図８】
2007336016.tif 000010
【図９】
2007336016.tif 000011